(57)【要約】【課題】  簡単構成で、狭いスペースであっても十分に帯状材料を一時ストックすることのできるコンベヤ装置を提供する。【解決手段】  巻出装置１から送り出されたスチール入りゴムシート２を巻取装置３に搬送する搬送コンベヤ１１の下面側に吸着マグネット部１１Ｍを形成し、この搬送コンベヤ１１の直下に水平式の貯蔵用コンベヤ１２を配設するとともに、上記搬送コンベヤ１１と貯蔵用コンベヤ１２間に配設されるガイドローラを、上記搬送コンベヤ１１側のローラの表面に摺動部材が貼着された、上記搬送コンベヤ１１と上記貯蔵用コンベヤ１２との隙間を上記貯蔵用コンベヤ１２に沿って水平移動する移動式ガイドローラ１５とし、巻出しあるいは巻取りの切替時には、上記移動式ガイドローラ１５を水平移動させて、上記搬送コンベヤ１１と上記貯蔵用コンベヤ１２との間に貯蔵するようにした。【選択図】        図１
2005170621.tif 000002
【特許請求の範囲】
【請求項１】
巻出装置から送り出された帯状材料を巻取装置に搬送する搬送コンベヤを備えたコンベヤ装置であって、上記搬送コンベヤに搬送される帯状材料を一時貯蔵する水平式の貯蔵用コンベヤと、この貯蔵用コンベヤ上を貯蔵用コンベヤに沿って水平移動可能に設置され、上記搬送コンベヤと上記貯蔵用コンベヤとの間を橋絡する上記帯状材料に張力を付加する移動式ガイドローラとを備えたことを特徴とするコンベヤ装置。
【請求項２】
上記搬送コンベヤと貯蔵用コンベヤとを垂直方向に２段に配置するとともに、上記移動式ガイドローラを、上記搬送コンベヤと貯蔵用コンベヤとの隙間を水平移動させるようにしたことを特徴とする請求項１に記載のコンベヤ装置。
【請求項３】
上記帯状材料を、スチール入りゴムシートとするとともに、上記搬送コンベヤの下面部に磁石を配設して、上記スチール入りゴムシートを上記搬送コンベヤの下面部に吸着させるようにしたことを特徴とする請求項１または請求項２に記載のコンベヤ装置。
【発明の詳細な説明】
【技術分野】
【０００１】
本発明は、巻出装置から送り出された帯状材料を巻取装置に搬送するコンベヤ装置に関するもので、特に、巻出しまたは巻取りの切替時に上記帯状材料を一時ストックすることのできるコンベヤ装置に関するものである。
【背景技術】
【０００２】
従来、巻出装置から送り出された帯状材料を巻取装置に搬送する際に、送り出す帯状材料の交換による巻出しの切替作業時や、上記帯状材料に装着されるプリセット部材の交換等による巻取りの切替作業時には、搬送ラインを停止して、帯状材料の送り出しや巻取りを中断するようにしていた。しかし、搬送ラインを停止すると生産性が低下するので、例えば、図４に示すような、フェスツーンと呼ばれる垂直ループ型懸垂コンベヤを用いて搬送される帯状材料を一時ストックする方法が考えられる。上記フェスツーンは、送り側のコンベヤ５１と受け取り側のコンベヤ５２間において搬送される帯状材料２を支持しない構成とすることにより、上記帯状材料２に弛みを持たせるようにしたもので、巻出しまたは巻取りの切替時に送り側のコンベヤ５１あるいは受け取り側のコンベヤ５２が停止した場合には、上記弛み量を多くすることにより上記帯状材料２の搬送経路長を長くして、上記搬送される帯状材料２を一時ストックすることができる。
また、搬送ラインを停止することなく、搬送される帯状材料を一時ストックする方法としては、搬送ラインの途中に可動コンベヤあるいは伸縮コンベヤを設置し、巻出しまたは巻取りの切替時には、上記可動コンベヤあるいは伸縮コンベヤを稼動して搬送路を伸長させ、上記搬送される帯状材料を一時ストックする方法（例えば、特許文献１，２参照）や、巻出装置と巻取装置とを２連化して対応する方法などが考えられる。
【特許文献１】特表２０００−５１５４７３号公報
【特許文献２】特開２００３−７３０００号公報
【発明の開示】
【発明が解決しようとする課題】
【０００３】
しかしながら、上記垂直ループ型懸垂コンベヤを用いた方法は、簡便な機構で帯状材料２を一時ストックできるという利点を有するが、帯状材料２がゴム部材のような場合には自重により伸長してしまうため、例えば、押出成形機から押出される未加硫のトレッド用ゴム部材のような可塑的変形の容易なゴム部材を一時的にストックする場合などに適用するには好ましくない。
また、搬送ラインの途中に可動コンベヤあるいは伸縮コンベヤを設置する方法や、巻出装置と巻取装置とを２連化する方法は、帯状材料に不要な応力が加わらない状態でストックすることはできるが、設備が大掛かりになるので、コストがかかるだけでなく広い設置スペースが必要であった。
【０００４】
本発明は、従来の問題点に鑑みてなされたもので、簡単構成で、狭いスペースであっても十分に帯状材料を一時ストックすることのできるコンベヤ装置を提供することを目的とする。
【課題を解決するための手段】
【０００５】
本発明の請求項１に記載の発明は、巻出装置から送り出された帯状材料を巻取装置に搬送する搬送コンベヤを備えたコンベヤ装置であって、上記搬送コンベヤに搬送される帯状材料を一時貯蔵する水平式の貯蔵用コンベヤと、この貯蔵用コンベヤ上を貯蔵用コンベヤに沿って水平移動可能に設置され、上記搬送コンベヤと上記貯蔵用コンベヤとの間を橋絡する上記帯状材料に張力を付加する移動式ガイドローラとを備え、巻出しあるいは巻取りの切替時には、上記移動式ガイドローラを水平移動させて、上記帯状材料に所定の張力を付加した状態で、上記帯状材料を上記搬送コンベヤと上記貯蔵用コンベヤとの間に貯蔵するようにしたものである。
請求項２に記載の発明は、請求項１に記載のコンベヤ装置において、貯蔵スペースを効率よく確保するとともに、コンベヤ装置の設置スペースを削減するため、上記搬送コンベヤと貯蔵用コンベヤとを垂直方向に２段に配置するとともに、上記移動式ガイドローラを、上記搬送コンベヤと貯蔵用コンベヤとの隙間を水平移動させるようにしたものである。
請求項３に記載の発明は、請求項１または請求項２に記載のコンベヤ装置において、上記帯状材料を、スチール入りゴムシートとするとともに、上記搬送コンベヤの下面部に磁石を配設して、上記スチール入りゴムシートを上記搬送コンベヤの下面部に吸着させることにより、上記スチール入りゴムシートの移動時に生じる撓み等の変形を防止するようにしたものである。
【発明の効果】
【０００６】
本発明によれば、巻出装置から送り出された帯状材料を貯蔵する水平式の貯蔵用コンベヤと、上記搬送コンベヤに搬送される帯状材料を一時貯蔵する水平式の貯蔵用コンベヤと、この貯蔵用コンベヤ上を貯蔵用コンベヤに沿って水平移動可能に設置され、上記搬送コンベヤと上記貯蔵用コンベヤとの間を橋絡する上記帯状材料に張力を付加する移動式ガイドローラとを備え、巻出しあるいは巻取りの切替時には、上記移動式ガイドローラを水平移動させて、上記帯状材料に所定の張力を付加した状態で、上記帯状材料を上記貯蔵用コンベヤと上記搬送コンベヤとの間に貯蔵するようにしたので、帯状材料の搬送を中断することなく巻出しあるいは巻取りの切替ができるとともに、上記帯状材料を撓みなく貯蔵することができる。また、上記帯状材料がスチール入りゴムシートである場合には、上記コンベヤの下面部に磁石を配設して上記スチール入りゴムシートを上記コンベヤの下面部に吸着させるようにすれば、上記スチール入りゴムシートの移動時に生じる撓み等の変形を防止することができる。
【発明を実施するための最良の形態】
【０００７】
以下、本発明の最良の形態について、図面に基づき説明する。
図１は、本最良の形態に係るコンベヤ装置１０の構成を示す模式図で、同図において、１１は巻出装置１から送り出された帯状材料であるスチール入りゴムシート２を、巻取装置３に搬送する搬送コンベヤで、この搬送コンベヤ１１の下面側には複数の磁石１１ｍが連続的に、あるいは、所定の間隔を置いて配置されて成る吸着マグネット部１１Ｍが形成されている。１２は上記搬送コンベヤ１１の直下に所定の隙間を保持して配設された水平式の貯蔵用コンベヤ、１３，１４は上記貯蔵用コンベヤ１２と上記搬送コンベヤ１１の搬入側に設置され、搬送されるスチール入りゴムシート２を上記コンベヤ１１，１２のセンターに位置させるための第１及び第２のセンタリングガイド、１５は上記スチール入りゴムシート２を上記コンベヤ１１，１２間に保持するとともに、上記コンベヤ１１，１２との隙間を水平移動する移動式ガイドローラ、１６，１７は上記搬送コンベヤ１１の上方に設けられ、上記搬送されるスチール入りゴムシート２に、例えば、ビートカバーゴムやプライインサートなどのプリセット部材を掛替えるためのプリセット機構である。以下、説明の都合上、上記搬送コンベヤ１１を上部コンベヤ、上記貯蔵用コンベヤ１２を下部コンベヤと呼ぶ。
上記移動式ガイドローラ１５は、図２にも示すように、３つのローラ１５ａ，１５ｂ，１５ｃにより、上記上部コンベヤ１１に搬送されるスチール入りゴムシート２を、上記上部コンベヤ１１と上記下部コンベヤ１２間を橋絡するように保持するもので、本例では、上記ローラ１５ａ，１５ｂ，１５ｃを支持する支持板１５ｄの下端部にＬＭガイド１５Ｇを取付けて、上記移動式ガイドローラ１５を上記下部コンベヤ１２に沿って水平移動できるようにしている。
また、本例では、上記搬送されるスチール入りゴムシート２を所定の張力を付加した状態で搬送するとともに、巻出しまたは巻取りの切替時には、スチール入りゴムシート２が上記吸着マグネット部１１Ｍに吸着されやすいように、上記ローラ１５ａ，１５ｂ，１５ｃのうち、上部コンベヤ１１側のローラ１５ｃの表面にスポンジのような摺動部材１５ｍを貼着して、上記スチール入りゴムシート２を上記吸着マグネット部１１Ｍ側に押し付けるようにしている。
【０００８】
次に、本発明のコンベヤ装置１０の動作について説明する。
通常搬送時においては、移動式ガイドローラ１５を上部コンベヤ１１と下部コンベヤ１２の搬入側に固定するとともに、巻出装置１と上部コンベヤ１１と巻取装置３とを通常速度Ｖ0（例えば、４m/min）で運転し、巻出装置１から送り出されたスチール入りゴムシート２を、上記移動式ガイドローラ１５を介して、上部コンベヤ１１に送り、この上部コンベヤ１１上にて、上記搬送されるスチール入りゴムシート２にプリセット部材１６ａ，１７ａを装着して、巻取装置３へ搬送する。このとき、上記スチール入りゴムシート２を下部コンベヤ１２の上部に配置された上部コンベヤ１１の中心位置に確実に転送するため、スチール入りゴムシート２の移動式ガイドローラ１５の導入前と上部コンベヤ１１導入前に、第１及び第２のセンタリングガイド１３，１４により、上記スチール入りゴムシート２のセンタリングを行う。なお、上記通常搬送時においては、下部コンベヤ１２は停止状態にある。
【０００９】
巻出装置１のスチール入りゴムシート２を次のスチール入りゴムシートを掛替える、いわゆる巻出しの切替を行う際には、まず、切替前にバッファコンベヤである上記下部コンベヤ１２にスチール入りゴムシート２をストックさせておく。具体的には、上部コンベヤ１１と巻取装置３とを通常速度Ｖ0で運転しつつ、巻出装置１と下部コンベヤ１２とを上記通常速度Ｖ0よりも速い速度Ｖsで運転するとともに、移動式ガイドローラ１５を下部コンベヤ１２に沿って下部コンベヤ１２に連動させながら下部コンベヤ１２の搬入方向とは逆方向に移動させることにより、搬送されるスチール入りゴムシート２を上部コンベヤ１１と下部コンベヤ１２との間にストックする。このとき、スチール入りゴムシート２の上部コンベヤ１１側に位置する部分は、移動式ガイドローラ１５のローラ１５ｃにより上部コンベヤ１１の下面側に押し付けられ、上記吸着マグネット部１１Ｍに吸着されるので、スチール入りゴムシート２を上記上部コンベヤ１１の下面部に確実にストックさせることができる。したがって、スチール入りゴムシート２を上部コンベヤ１１と下部コンベヤ１２との隙間に張力を保持した状態でストックすることができる。
巻出しの切替時には、巻出装置１の運転が停止するが、このとき下部コンベヤ１２の運転も停止させる。このとき、上部コンベヤ１１と巻取装置３とはそのまま通常速度Ｖ0で運転を継続する。そして、移動式ガイドローラ１５を下部コンベヤ１２に沿って、今度は、上記上部コンベヤ１１に連動させながら逆方向（下部コンベヤ１２の搬入方向）に移動させる。これにより、上記ストックされたスチール入りゴムシート２を上部コンベヤ１１に順次送り出すことができる。このとき、上記スチール入りゴムシート２の上部コンベヤ１１側に位置する部分は、吸着マグネット部１１Ｍにより吸引力を受けているので、移動時に生じる撓み等の発生を防止することができる。
【００１０】
また、プリセット部材１６ａ，１７ａの変更時などのように、巻取りを切替える場合には、巻取装置３と上部コンベヤ１１は停止させるが、巻出装置１は通常速度Ｖ0で運転してスチール入りゴムシート２を送り出しを継続する。したがって、巻取装置３と上部コンベヤ１１とが運転を開始するまでは、上記スチール入りゴムシート２は上記上部コンベヤ１１と下部コンベヤ１２との間にストックされる。具体的には、下部コンベヤ１２を巻出装置１の運転速度Ｖ0と同じ運転速度Ｖ0で運転するとともに、移動式ガイドローラ１５を下部コンベヤ１２に沿って下部コンベヤ１２に連動させながら水平に移動させることにより、スチール入りゴムシート２を上部コンベヤ１１と下部コンベヤ１２との間にストックする。なお、この場合も、上記巻出装置１の切替前の動作と同様に、スチール入りゴムシート２を上部コンベヤ１１と下部コンベヤ１２との隙間に張力を保持した状態でストックすることができる。
そして、巻取装置３と上部コンベヤ１１とが運転を再開した時点で、下部コンベヤ１２を停止させるとともに、移動式ガイドローラ１５を下部コンベヤ１２に沿って、今度は、上記上部コンベヤ１１に連動させながら逆方向に移動させる。これにより、上記ストックされたスチール入りゴムシート２を上部コンベヤ１１に順次送り出すことができる。
【００１１】
このように、本最良の形態では、巻出装置１から送り出されたスチール入りゴムシート２を巻取装置３に搬送する搬送コンベヤ１１の下面側に吸着マグネット部１１Ｍを形成し、この搬送コンベヤ１１の直下に水平式の貯蔵用コンベヤ１２を配設するとともに、上記搬送コンベヤ１１と貯蔵用コンベヤ１２間に配設されるガイドローラを、上記搬送コンベヤ１１側のローラ１５ｃの表面に摺動部材１５ｍが貼着された、上記搬送コンベヤ１１と上記貯蔵用コンベヤ１２との隙間を上記貯蔵用コンベヤ１２に沿って水平移動する移動式ガイドローラ１５とし、巻出しあるいは巻取りの切替時には、上記移動式ガイドローラ１５を水平移動させて、上記スチール入りゴムシート２の上記搬送コンベヤ１１側を上記搬送コンベヤ１１の下面側に吸着させた状態で上記搬送コンベヤ１１と上記貯蔵用コンベヤ１２との間に貯蔵するようにしたので、スチール入りゴムシート２の搬送を中断することなく巻出しあるいは巻取りの切替ができるとともに、少ないスペースで上記スチール入りゴムシート２を撓みなく貯蔵することができる。
【００１２】
なお、上記最良の形態では、帯状材料がスチール入りゴムシート２である場合について説明したが、これに限るものではなく、本発明は、一般の帯状材料にも適用可能である。なお、上記帯状材料に磁性体が含まれていない場合には、搬送コンベヤ１１をバキューム用の穴あきコンベヤとし、その内部にバキュームダクトを設置するようにすればよい。
また、上記例では、移動式ガイドローラ１５の搬送コンベヤ１１側のローラ１５ｃの表面に摺動部材１５ｍを貼着して、上記スチール入りゴムシート２を搬送コンベヤ１１の下面側（吸着マグネット部１１Ｍ側）に押し付けるようにしたが、図３に示すように、ローラ１５ｃに、上記ローラ１５ｃを搬送コンベヤ１１の下面側に付勢するスプリング機構１５ｎを設けて、上記スチール入りゴムシート２を搬送コンベヤ１１の下面側に押し付けるようにしてもよい。
また、上記例では、巻出しあるいは巻取りの切替時に、停止しない側の搬送速度を通常速度Ｖ0としたが、切替に時間がかかることが予想される場合には、停止しない側の搬送速度を通常速度Ｖ0よりも遅くしてもよい。
【産業上の利用可能性】
【００１３】
以上説明したように、本発明によれば、帯状材料を貯蔵する水平式の貯蔵用コンベヤと、この貯蔵用コンベヤ上を水平移動し、上記帯状材料に張力を付加する移動式ガイドローラとを設け、帯状材料を上記貯蔵用コンベヤと搬送コンベヤとの間に撓みなく貯蔵できるようにしたので、簡単構成で、狭いスペースであっても十分に帯状材料を一時ストックすることのできるコンベヤ装置を提供することができるとともに、搬送ラインの生産性を向上させることができる。
【図面の簡単な説明】
【００１４】
【図１】本発明の最良の形態に係るコンベヤ装置の構成を示す模式図である。
【図２】スチール入りゴムシートのストック方法を示す図である。
【図３】本発明による移動式ガイドローラの他の構成を示す図である。
【図４】従来の垂直ループ型懸垂コンベヤの模式図である。
【符号の説明】
【００１５】
１  巻出装置、２  スチール入りゴムシート、３  巻取装置、
１０  コンベヤ装置、１１  搬送コンベヤ、１２  貯蔵用コンベヤ、
１３，１４  センタリングガイド、１５  移動式ガイドローラ、
１６，１７  プリセット機構。
【図１】
2005170621.tif 000003
【図２】
2005170621.tif 000004
【図３】
2005170621.tif 000005
【図４】
2005170621.tif 000006